(57)【要約】      （修正有）【課題】二次元コードに注目させることができる印刷物を提供する。【解決手段】台紙１０の所定箇所に、白色インクをべた塗りすることで、白色塗布層１１を形成する。次に、白色塗布層１１に透明マスク層１２を被せる。なお、透明マスク層１２の縦横寸法ａ、ｂより、白色塗布層１１の縦横寸法Ａ、Ｂを大きくしておく。透明マスク層１２は、二次元コードの陰画模様を含んでいる。陰画は実物と明暗が逆になっている画像を意味する。また、透明マスク層１２は、透明の材料で構成される。出来上がった二次元コード印刷物は、台紙１０に、文字、写真、図などの印刷情報が印刷されており、加えて、台紙１０の右隅に白色塗布層１１が塗られ、この白色塗布層１１に透明マスク層１２が被せられている。なお、台紙１０が白色台紙であれば、白色塗布層１１及び透明マスク層１２が殆ど見えない。そこで、「コインでこすってね」などのメッセージを入れることが望まれる。【選択図】図２
0003152678.tif 000002
【実用新案登録請求の範囲】
【請求項１】
台紙と、この台紙に白色インクでべた塗りされ、縦横寸法が二次元コードの縦横寸法より大きい白色塗布層と、この白色塗布に被せられ模様が前記二次元コードの陰画模様である透明マスク層と、からなることを特徴とする二次元コード印刷物。
【請求項２】
前記透明マスク層の材料は、ニスであることを特徴とする請求項１記載の二次元コード印刷物。
【請求項３】
台紙と、この台紙に白色インクでべた塗りされ、縦横寸法が二次元コードの縦横寸法より大きい白色塗布層と、この白色塗布に被せられ模様が前記二次元コードの陰画模様であり携帯端末に付属されている二次元コード読み取り機で読み取れない色インクで刷られたカラーマスク層と、からなることを特徴とする二次元コード印刷物。
【請求項４】
前記白色インクに、白色台紙であることを特徴とする請求項１、請求項２又は請求項３記載の二次元コード印刷物。
【考案の詳細な説明】
【技術分野】
【０００１】
本考案は、ＱＲコード（登録商標）と呼ばれる二次元コードが台紙に印刷されている印刷物に関する。
【背景技術】
【０００２】
二次元コードを読み取ることができる二次元コード読み取り機能付き携帯電話機（携帯端末）が普及し、この普及に連れて雑誌などの紙媒体に二次元コードが付されるようになってきた（例えば、特許文献１（図１０）参照。）。
【０００３】
特許文献１を次図に基づいて説明する。
図９は従来の雑誌の紙面を説明する図であり、雑誌１００のある頁の紙面１０１には、文字、写真、図などの印刷情報１０２が示されていると共に、右下隅に二次元コード１０３が付されている。
【０００４】
読者は、二次元コード１０３を二次元コード読み取り機で読み取ると、紙面１０１に関連する情報を記録することができる。
二次元コード１０３は、利用促進や販売促進などが目的であれば、宣伝効果が期待できる。
【０００５】
ところで、近年の情報誌では、複数個、多いときには十数個の二次元コードが１頁に印刷されている。
二次元コードが多過ぎると、読者は、二次元コード１０３を読み取る意欲が減退する傾向にある。であれば、期待した宣伝効果が得られないことになる。
【０００６】
そこで、二次元コードに注目させることができる技術が必要となる。
【先行技術文献】
【特許文献】
【０００７】
【特許文献１】特開２００１−３１８８８６公報
【考案の概要】
【考案が解決しようとする課題】
【０００８】
本考案は、二次元コードに注目させることができる技術を提供することを課題とする。
【課題を解決するための手段】
【０００９】
請求項１に係る考案は、台紙と、この台紙に白色インクでべた塗りされ、縦横寸法が二次元コードの縦横寸法より大きい白色塗布層と、この白色塗布に被せられ模様が前記二次元コードの陰画模様である透明マスク層と、からなることを特徴とする。
【００１０】
請求項２に係る考案では、透明マスク層の材料は、ニスであることを特徴とする。
【００１１】
請求項３に係る考案では、台紙と、この台紙に白色インクでべた塗りされ、縦横寸法が二次元コードの縦横寸法より大きい白色塗布層と、この白色塗布に被せられ模様が前記二次元コードの陰画模様であり携帯端末に付属されている二次元コード読み取り機で読み取れない色インクで刷られたカラーマスク層と、からなることを特徴とする。
【００１２】
請求項４に係る考案では、台紙は、白色台紙であることを特徴とする。
【考案の効果】
【００１３】
請求項１に係る考案では、白色塗布層に、透明マスク層を被せた。この透明マスク層は二次元コードの陰画模様とされる。白色塗布層の光沢と透明マスク層の光沢とに差があるため、白色塗布層上に何かが被せられていることが、視覚的に認められる。読者は、見えるようで見えない二次元コード（正しくは、二次元コードであるとは認識できない。）が、気になる。
【００１４】
読者は、何が印刷されているかを知りたくなり、コインなどで擦るはずである。
白色塗布層は白色インクで構成され、この白色インクには、必ず白色の二酸化チタンの微粉末が含まれている。二酸化チタンは、セラミックであり、銀貨や銅貨等のコインより硬い。コインで擦ると、二酸化チタンで削られ、削りかすが発生する。一方、透明マスク層は、コインで擦っても剥がれる心配はない。
【００１５】
そこで、透明マスク層をコインで擦ると、マスク無し部では、コインが白色塗布層に接触する。接触した部分だけコインの削りかすが黒く残る。マスク無し部は、二次元コードの正転模様に相当するため、二次元コードが黒く浮かび上がる。
【００１６】
次に、読者は、浮かび上がった二次元コードが読み取り可能であるか否かが気になる。そこで、読者は、二次元コード読み取り機能付き携帯電話機（携帯端末）で読み取りを試みることが期待できる。
すなわち、請求項１に係る考案によれば、読者の好奇心を喚起し、二次元コードに注目させることができる。
【００１７】
請求項２に係る考案では、ニスで二次元コードの陰画模様を構成する。ニスは入手容易であり安価であるため、二次元コード印刷物の製造コストを抑えることができる。
【００１８】
請求項３に係る考案では、白色塗布層に、模様が二次元コードの陰画模様であり携帯端末に付属されている二次元コード読み取り機で読み取れない色インクで刷られたカラーマスク層が被せられている。
カラーの陰画模様であり、マスク無し部から白色が見えるため、二次元コードが視認できる。しかし、二次元コード読み取り機で読み取れない。読者にとっては、見えるけれども、二次元コード読み取り機で読み取れないことに興味を覚える。
【００１９】
そこで、読者は、カラーマスク層をコインで擦る。マスク無し部では、コインが白色塗布層に接触する。接触した部分だけコインの削りかすが黒く残る。マスク無し部は、二次元コードの正転模様に相当するため、二次元コードが黒く浮かび上がる。
【００２０】
読者は、浮かび上がった二次元コードが読み取れるか確認したくなる。そこで、読者は、二次元コード読み取り機能付き携帯電話機（携帯端末）で読み取りを試みる。
すなわち、請求項３に係る考案によれば、読者の好奇心を喚起し、二次元コードに注目させることができる。
【００２１】
請求項４に係る考案は、白色台紙を採用した。白色台紙であれば、白色塗布層は同色となり、白色塗布層が目立たなくなる。名刺に好適である。
【図面の簡単な説明】
【００２２】
【図１】本考案に係る台紙と白色塗布層の関係を説明する図である。
【図２】白色塗布層と透明マスク層の関係を説明する図である。
【図３】図２の３−３線断面図である。
【図４】本考案に係る二次元コード印刷物を説明する図である。
【図５】作用を説明する図である。
【図６】発現した二次元コードを説明する図である。
【図７】別実施例に二次元コード印刷物を説明する図である。
【図８】図７の作用図である。
【図９】従来の雑誌の紙面を説明する図である。
【考案を実施するための形態】
【００２３】
本考案の実施の形態を添付図に基づいて以下に説明する。
【実施例１】
【００２４】
先ず、本考案の実施例１を図面に基づいて説明する。
図１に示すように、台紙１０の所定箇所に、白色インクをべた塗りすることで、白色塗布層１１を形成する。塗布方法は任意である。
次に、図２に示すように、白色塗布層１１に透明マスク層１２を被せる。なお、透明マスク層１２の縦横寸法ａ、ｂより、白色塗布層１１の縦横寸法Ａ、Ｂを大きくしておく。
【００２５】
透明マスク層１２は、二次元コードの陰画模様を含んでいる。陰画は実物と明暗が逆になっている画像を意味する。
また、透明マスク層１２は、透明の材料で構成される。透明の材料は、透明ニスや透明な樹脂、その他が適用できる。なかでもニスは、入手が容易で安価であるため好適である。ニスはインクジェット方式により、噴射塗布することができる。インクジェットであれば、コンピュータ制御により、透明マスク層１２の１つずつにおいて、模様を変更することができる。
【００２６】
断面構成は、図３に示すように、台紙１０に白色塗布層１１が載り、この白色塗布層１１に透明マスク層１２が載せられている。なお、白色塗布層１１及び透明マスク層１２は薄膜であるが、図面では便宜的に厚く示した。二次元コードの陰画模様を含む透明マスク層１２には、マスク部１３とマスク無し部１４、１５、１６とが存在する。
【００２７】
出来上がった二次元コード印刷物２０は、台紙１０に、文字、写真、図などの印刷情報１９が印刷されており、加えて、台紙１０の右隅に白色塗布層１１が塗られ、この白色塗布層１１に透明マスク層１２が被せられている、なお、台紙１０が白色台紙であれば、白色塗布層１１及び透明マスク層１２が殆ど見えない。そこで、「コインでこすってね」などのメッセージを入れることが望まれる。
【００２８】
以上に述べた二次元コード印刷物２０の作用を説明する。
図４に示す二次元コード印刷物２０を見た読者は、光沢の差により、白色塗布層１１の上に何かが被せられていることに気付く。「コインでこすってね」などのメッセージが添えられている場合には、より気になる。そして、読者はコインで白色塗布層１１を擦る。
すると、図５に示すように、コイン２１は、マスク無し部１４、１５、１６において、白色塗布層１１に接触する。
【００２９】
白色塗布層１１を構成する白色インクに必ず含まれている二酸化チタンが含まれている。この二酸化チタンは硬いセラミックであり、ヤスリの役目を果たし、コインから微量の微粉末を剥離させる。この微粉末２２が、マスク無し部１４、１５、１６に付着する。
【００３０】
結果、図６に示すように、台紙１０の右隅に二次元コード２４が読み取り可能な濃度の黒色が発現する。
【００３１】
読者は、発現した二次元コード２４が読み取り可能である心配になる。又は、読者は、二次元コード２４の内容に興味を示すことが期待される。そこで、読者は、二次元コード読み取り機能付き携帯電話機（携帯端末）で二次元コード２４を読み取る。
【００３２】
結果、氾濫する二次元コードのなかから、二次元コード２４を差別化させて、読者に注目させることができる。
【００３３】
なお、台紙１０の色及び紙質は任意である。色が白であれば、白色塗布層１１が目立たなくなるため、秘密性や意外性が高まる。名刺に好適である。
台紙１０の色が有彩色、白以外の無彩色であれば、白色塗布層１１が目立つが、白色塗布層１１の存在を意識させることができる。雑誌やカラー広告紙に適している。
【実施例２】
【００３４】
次に、本考案の実施例２を図面に基づいて説明する。
実施例１での透明マスク層を、カラーマスク層に変更することができる。この具体例を以下に説明する。
図７に示すように、二次元コード印刷物２０は、台紙１０と、この台紙に白色インクでべた塗りされ、縦横寸法が二次元コードの縦横寸法より大きい白色塗布層１１と、この白色塗布に被せられ模様が二次元コードの陰画模様であるカラーマスク層２５とからなる。
【００３５】
このカラーマスク層２５は、携帯端末に付属されている二次元コード読み取り機で読み取れない色インクで刷られている。カラーマスク層２５のマスク無し部２６からは下の白色がはっきり見えるため、読者は、二次元コードを容易に視認することができる。
【００３６】
携帯電話に代表される形態端末で二次コードを読み取ることを日常的に行っていれば、読者は読み取りを試みるはずである。しかし、二次元コード読み取り機で読み取れない。読者にとっては、見えるけれども、二次元コード読み取り機で読み取れないことに興味を覚える。
【００３７】
そこで、読者は、カラーマスク層２５をコインで擦る。マスク無し部２６では、コインが白色塗布層に接触する。接触した部分だけコインの削りかすが黒く残る。マスク無し部は、二次元コードの正転模様に相当するため、図８に示すように二次元コード２４が黒く浮かび上がる。
【００３８】
カラーマスク層２５は二次元コード読み取り機で読み取れない色インクで刷られているため、黒い二次元コード２４だけが読み取り対象となる。
そこで、浮かび上がった二次元コード２４は、二次元コード読み取り機能付き携帯電話機（携帯端末）で読み取りが可能となる。
【００３９】
この例では、カラーマスク層２５を採用した。カラーは複数の色から任意に選択できる。カラーマスク層２５は、台紙１０の色や印刷情報１９の色に、より対応した（マッチした）色とすることができるため、二次元コード印刷物２０の多様性を高めることができる。
【産業上の利用可能性】
【００４０】
本考案は、白色の二次元コード印刷物に好適である。
【符号の説明】
【００４１】
１０…台紙、１１…白色塗布層、１２…透明マスク層、１３…マスク部、１４〜１６、２６…マスク無し部、２０…二次元コード印刷物、２４…発現した二次元コード、２６…カラーマスク層、Ａ、Ｂ、ａ、ｂ…縦横寸法。
【図１】
0003152678.tif 000003
【図２】
0003152678.tif 000004
【図３】
0003152678.tif 000005
【図４】
0003152678.tif 000006
【図５】
0003152678.tif 000007
【図６】
0003152678.tif 000008
【図７】
0003152678.tif 000009
【図８】
0003152678.tif 000010
【図９】
0003152678.tif 000011